(57)【要約】  【課題】画像再現性に優れ、版面傷の発生を減少させる水なし平版印刷版の現像方法を提供すること。  【解決手段】シリコーンゴム層を有する水なし平版印刷版のシリコーンゴム層をブラシロールで擦って現像処理する水なし平版印刷版の現像方法であって、ブリッスル径平均が２００μｍ以下であり、かつ、各ブリッスルの先端断面とブリッスル軸に垂直な方向とのなす角度が１０〜７０度であるブラシロールを、ブリッスルの最長部と最短部を結ぶ面と実質的に同方向に回転させて現像することを特徴とする水なし平版印刷版の現像方法。【選択図】図２
2008249758.tif 000002
【特許請求の範囲】
【請求項１】
シリコーンゴム層を有する水なし平版印刷版のシリコーンゴム層をブラシロールで擦って現像処理する水なし平版印刷版の現像方法であって、ブリッスル径平均が２００μｍ以下であり、かつ、各ブリッスルの先端断面とブリッスル軸に垂直な方向とのなす角度が１０〜７０度であるブラシロールをブリッスルの最長部と最短部を結ぶ面と実質的に同方向に回転させて現像することを特徴とする水なし平版印刷版の現像方法。
【請求項２】
前記ブラシロールのブリッスル径平均が１００μｍ以上であることを特徴とする請求項１記載の水なし平版印刷版の処理方法。
【発明の詳細な説明】
【技術分野】
【０００１】
本発明は、湿し水を用いずに印刷が可能な水なし平版印刷版の現像方法に関する。
【背景技術】
【０００２】
水なし平版印刷版を現像処理する場合、通常、自動現像機を用いた現像処理が行われる。自動現像記では、水なし平版印刷版をロールで搬送しながら、水なし平版印刷版をその進行方向と同じ方向にこするように１〜４本のブラシロールを回転させ、画線部のシリコーンゴム層を除去する方法が一般的である。このような現像方法では、現像される網点の形状がブラシロールのこすり方向に依存し、均質な形状の網点が得られない場合があった。これは、ブラシロールのこすり方向の下流側はシリコーンゴム層がほぼ完全に除去されるのに対し、上流側の特に網点の縁部にはシリコーンゴム層が残りやすいためである。その結果、印刷時にも調子再現性が低下したり、色調のズレが起こる場合があった。
【０００３】
そこで、均質な形状の網点を再現するための方法として、水なし平版印刷版の搬送方向と同一方向に回転するブラシロールと、搬送方向とは反対方向に回転するブラシロールとを少なくとも１本ずつ設け、さらブラシロールの少なくとも１本以上のブラシをロール軸方向に往復運動させて画線部におけるシリコーンゴム層を物理的に除去する方法が提案されている（例えば、特許文献１参照）。
【０００４】
しかしながら、近年印刷業界の高精細化が進む中、従来公知の現像方法では、特に高精細用途において求められる高い画像再現性を得ることは困難であり、また、版面傷が発生する課題があった。
【特許文献１】特開平８−２４０９１６号公報
【発明の開示】
【発明が解決しようとする課題】
【０００５】
本発明は、上記従来技術の課題に鑑み、画像再現性に優れ、版面傷の発生を減少させる水なし平版印刷版の現像方法を提供することを目的とする。
【課題を解決するための手段】
【０００６】
本発明は、シリコーンゴム層を有する水なし平版印刷版のシリコーンゴム層をブラシロールで擦って現像処理する水なし平版印刷版の現像方法であって、ブリッスル径平均が２００μｍ以下であり、かつ、各ブリッスルの先端断面とブリッスル軸に垂直な方向とのなす角度が１０〜７０度であるブラシロールを、ブリッスルの最長部と最短部を結ぶ面と実質的に同方向に回転させて現像することを特徴とする水なし平版印刷版の現像方法である。
【発明の効果】
【０００７】
本発明の水なし平版印刷版の現像方法により、画像再現性に優れ、版面傷の少ない平版印刷版を得ることができる。本発明の水なし平版印刷版の現像方法は、特に高精細用途において高い効果を奏する。
【発明を実施するための最良の形態】
【０００８】
本発明の水なし平版印刷版の現像方法は、水なし平版印刷版のシリコーンゴム層を後述するブラシロールで擦るものであり、一般的には自動現像機により行われる。
【０００９】
本発明に用いられるブラシロールの断面図を図１に、ブラシロールのブリッスルの先端形状を示す側面図を図２に示す。本発明においては、ブリッスル径２の平均が２００μｍ以下であることが重要であり、１７５μｍ以下が好ましい。ブリッスル径２の平均が２００μｍを超えると、画像再現性が低下し、版面傷が発生しやすくなる。一方、ブラシロールの耐久性の観点からは、ブリッスル径２の平均は１００μｍ以上が好ましく、１２５μｍ以上がより好ましい。なお、版面傷とは、現像時にブラシロールによってシリコーンゴム層に発生する傷をいう。
【００１０】
本発明に用いられるブラシロールのブリッスルの先端形状を示す断面図を図２に示す。左が側面図、右が正面図である。本発明において、各ブリッスル先端は斜めに断裁されていることが重要であり、ブリッスルの先端断面と、ブリッスル軸に垂直な方向とのなす角度１は１０〜７０度である。角度１が１０度未満であると、版面傷が発生しやすくなり、７０度を超えると、画像再現性が低下する。好ましくは２０〜６０度である。
【００１１】
本発明においては、ブラシロールの回転方向も重要である。図３（ａ）に本発明に用いられるブラシロールのブリッスル側面図を、図３（ｂ）にブリッスル上面図を示す。ブリッスル最長部３とブリッスル最短部４を結ぶ面（紙面）と実質的に同方向、すなわち、図３におけるブリッスル進行方向５の方向にブラシロールを回転させることが重要である。なお、本発明において、ブラシロールの回転方向がブリッスル最長部と最短部を結ぶ面と実質的に同方向であるとは、ブリッスル最長部３と最短部４を結ぶ面と、ブリッスルの進行方向５とのなす角度６（最長部側角度）が４５度以内であることをいう。この角度６が４５度を超えると、画像再現性が低下し、版面傷が発生しやすくなる。
【００１２】
本発明に用いられるブラシロールとしては、プラスチック糸状物あるいは動物の毛等のブラシ素材を、プラスチックあるいは金属等の芯に放射状に植込んだものが一般的である。上記ブラシ素材をシート、フィルムあるいは布等の基材に植込んだものを芯に巻いてもよく、更には、上記ブラシ素材をプラスチックあるいは金属の溝型材に植込んだものを芯に取り付けたものなどいずれであってもよい。
【００１３】
本発明の水なし平版印刷版の現像方法は、２５０線以上のＡＭスクリーンや、網点を構成する最小画素サイズが５０μｍ以下であるＦＭスクリーンなどの高精細用途に特に有効である。
【実施例】
【００１４】
以下、実施例によって本発明をさらに詳しく説明する。
【００１５】
実施例１
“東レ水なし平版”ＴＡＣ−ＶＧ５をイメージセッター“ＴＤＬ−４４００”（東レ（株）製）に巻き付け固定後、画像を出力した。この露光済み版から保護フィルムを剥離し、現像槽のブラシロールとして下記のブラシロールを装着した“東レ水なし平版”自動現像機ＴＷＬ−１１６０Ｆ（東レ（株）製）に通版して現像を行った。
ブリッスル径平均：１５０μｍ
ブリッスルの先端断面とブリッスル軸に垂直な軸とのなす角度：６０度
ブリッスル最長部と最短部を結ぶ面と、ブリッスルの進行方向とのなす角度：０度
なお、前処理槽には“東レ水なし平版”自動現像機用前処理液ＣＰ−１（東レ（株）製）、現像槽には水、後処理槽には“東レ水なし平版”自動現像機用後処理液ＰＡ−Ｆ（東レ（株）製）、水洗槽には水を入れた。また、前処理温度は４３℃、現像水温度は２５℃、現像速度は８０ｃｍ／分に設定した。
【００１６】
画像再現性の評価は、１７５Ｌ／ｉｎｃｈ、網点面積１％の網点部分を観察し、１００％再現しているものを◎、８０％以上再現しているものを○、８０％未満しか再現していないものを×とした。さらに、２万版通版した後の画像再現性についても同様に評価した。また、版面傷の評価は、現像後の版を“東レ水なし平版”用プレートクリーナーを充分含ませた綿パットで軽く拭き、傷の状態を観察することにより行った。評価結果を表１に示す。
【００１７】
実施例２
上記“東レ水なし平版”自動現像機ＴＷＬ−１１６０Ｆの現像槽のブラシロールとして、下記のブラシロールを装着した以外は実施例１と同様に現像を行った。
ブリッスル径平均：２００μｍ
ブリッスルの先端断面とブリッスル軸に垂直な軸とのなす角度：４５度
ブリッスル最長部と最短部を結ぶ面と、ブリッスルの進行方向とのなす角度：１５度
画像再現性、版面傷の評価結果を表１に示す。
【００１８】
実施例３
上記“東レ水なし平版”自動現像機ＴＷＬ−１１６０Ｆの現像槽のブラシロールとして、下記のブラシロールを装着した以外は実施例１と同様に現像を行った。
ブリッスル径平均：１００μｍ
ブリッスルの先端断面とブリッスル軸に垂直な軸とのなす角度：６０度
ブリッスル最長部と最短部を結ぶ面と、ブリッスルの進行方向とのなす角度：２０度
画像再現性、版面傷の評価結果を表１に示す。
【００１９】
比較例１
ブラシロールの回転方向を、ブリッスル最長部と最短部を結ぶ面と、ブリッスルの進行方向とのなす角度が１００度となるようにした以外は実施例１と同様に現像を行った。画像再現性、版面傷の評価結果を表１に示す。
【００２０】
比較例２
ブリッスルの先端断面とブリッスル軸に垂直な方向とのなす角度を５度とした以外は実施例２と同様に現像を行った。画像再現性、版面傷の評価結果を表１に示す。
【００２１】
比較例３
ブリッスル径平均を２５０μｍとした以外は実施例３と同様に現像を行った。画像再現性、版面傷の評価結果を表１に示す。
【００２２】
【表１】
2008249758.tif 000003
【図面の簡単な説明】
【００２３】
【図１】本発明に用いられるブラシロールの断面図
【図２】本発明に用いられるブラシロールのブリッスルの先端形状を示す側面図
【図３】（ａ）本発明に用いられるブラシロールのブリッスル拡大図（側面図）、（ｂ）本発明の現像用ブラシロールのブリッスル拡大図（上面図）
【符号の説明】
【００２４】
１  ブリッスルの先端断面とブリッスル軸に垂直な方向とのなす角度
２  ブリッスル径
３  ブリッスル最長部
４  ブリッスル最短部
５  ブリッスル進行方向
６  ブリッスル最長部と最短部を結ぶ面と、ブリッスルの進行方向とのなす角度
【図１】
2008249758.tif 000004
【図２】
2008249758.tif 000005
【図３】
2008249758.tif 000006